(57)【要約】【課題】水性ガス反応の安定性やガス化効率の向上を図り、また、燃料電池と組み合わせた場合の運転制御性の向上を図った木炭水性ガス製造方法と装置、並びに同製造方法及び装置を使用した燃料電池発電システムを提供する。【解決手段】燃焼室７と還元層９と乾燥層１０とを有する縦型円筒状の木炭水性ガス発生装置１と、木炭、水および空気を前記木炭水性ガス発生装置へ供給する各供給手段とを備える木炭水性ガス製造装置において、前記還元層と燃焼室とを、燃焼室を外側とし伝熱壁１６を介して同心円筒状に配設し、前記燃焼室内に熱交換器１２を設け、この熱交換器に水を供給して高温・高圧の過熱水蒸気を発生するか、あるいは、熱交換器に原水タンクから水を供給して水蒸気を発生し、この水蒸気を誘導加熱装置を介して加熱することにより過熱水蒸気を発生するようにし、この過熱水蒸気を前記還元層９に導入することによって水性ガス反応を行わせる。【選択図】図１
2015012302.tif 000002
【特許請求の範囲】
【請求項１】
酸化層（以下、燃焼室という。）と還元層と乾燥層とを有する縦型円筒状の木炭水性ガス発生装置と、木炭、水および空気を前記木炭水性ガス発生装置へ供給する各供給手段とを備える木炭水性ガス製造装置を用いて、木炭と水とから水性ガス反応により木炭水性ガスを製造する方法において、
前記還元層と燃焼室とを、燃焼室を外側とし伝熱壁を介して同心円筒状に配設し、かつ前記燃焼室内に熱交換器を設け、この熱交換器に水を供給して高温・高圧の過熱水蒸気を発生し、この過熱水蒸気を前記還元層に導入することによって前記水性ガス反応を行わせることを特徴とする木炭水性ガス製造方法。
【請求項２】
前記過熱水蒸気の温度は、使用する木炭に応じて異なった温度とすることを特徴とする請求項１に記載の製造方法。
【請求項３】
燃焼室と還元層と乾燥層とを有する縦型円筒状の木炭水性ガス発生装置と、木炭、水および空気を前記木炭水性ガス発生装置へ供給する各供給手段とを備える木炭水性ガス製造装置において、
前記還元層と燃焼室とを、燃焼室を外側とし伝熱壁を介して同心円筒状に配設し、前記燃焼室内に熱交換器を設け、この熱交換器に水を供給して高温・高圧の過熱水蒸気を発生するようにし、かつ、前記過熱水蒸気と、前記燃焼室において木炭の燃焼により発生したＣＯ2ガスとを、前記還元層に導入するようにしてなり、
さらに、前記燃焼室は前記伝熱壁と下部円筒形部とにより形成し、前記還元層は前記伝熱壁と上部円筒形部とにより形成し、前記乾燥層は上部円筒形部により形成し、前記上部円筒形部には木炭水性ガス取出し口と木炭水性ガス発生装置の起動時燃焼空気吸引口とを設け、前記下部円筒形部には木炭投入口兼燃焼空気導入口を設け、かつ前記上部円筒形部の上蓋部には、木炭投入口を設けることを特徴とする木炭水性ガス製造装置。
【請求項４】
前記燃焼室内に設ける熱交換器は、前記下部円筒形部の筒の内部に管を螺旋状に巻回したものとし、前記管内に水を通流してなるものとすることを特徴とする請求項３に記載の装置。
【請求項５】
前記同心円筒状に配設した前記還元層および燃焼室の下方には格子を設け、この格子の隙間から、前記木炭の燃焼により発生したＣＯ2ガスを前記還元層へ導入し、かつこの格子の下方に、燃焼に伴って発生する灰を排出するようにすることを特徴とする請求項３に記載の装置。
【請求項６】
前記過熱水蒸気の前記還元層への導入は、前記還元層の下方から前記格子を貫通して行うようにしてなることを特徴とする請求項５に記載の装置。
【請求項７】
前記過熱水蒸気の前記還元層への導入は、前記還元層の上方から前記上蓋部および乾燥層を貫通して行うようにすることを特徴とする請求項１に記載の装置。
【請求項８】
燃焼室と還元層と乾燥層とを有する縦型円筒状の木炭水性ガス発生装置と、木炭、水および空気を前記木炭水性ガス発生装置へ供給する各供給手段とを備える木炭水性ガス製造装置と、前記燃焼室において発生した木炭の燃焼熱により水を過熱して、高温・高圧の過熱水蒸気を発生するようにした過熱水蒸気発生器と、前記木炭水性ガス製造装置において発生した木炭水性ガスを燃料ガスとして供給して発電する燃料電池装置とを備える木炭水性ガス式燃料電池発電システムであって、
前記過熱水蒸気発生器において発生した過熱水蒸気を前記木炭水性ガス発生装置が有する還元層へ導入して水性ガス反応を行わせるようにすることを特徴とする燃料電池発電システム。
【請求項９】
前記木炭水性ガス発生装置と過熱水蒸気発生器とを組合せ、かつ、前記過熱水蒸気発生器において発生した過熱水蒸気を前記木炭水性ガス発生装置が有する還元層へ導入して水性ガス反応を行わせるようにする装置は一体化して構成した木炭水性ガス製造装置とし、この一体化して構成した装置は、請求項３ないし７のいずれか１項に記載の装置とすることを特徴とする請求項８に記載の燃料電池発電システム。
【請求項１０】
前記木炭水性ガス発生装置と前記燃料電池装置との間に、前記木炭水性ガスに含有するＣＯを改質するＣＯ改質機を設け、このＣＯ改質機に、前記過熱水蒸気発生器において発生した過熱水蒸気を供給して、ＣＯをＣＯ2にシフトするシフト反応を行わせるようにすることを特徴とする請求項８または９に記載の燃料電池発電システム。
【請求項１１】
前記木炭水性ガス発生装置と前記燃料電池装置との間に、前記燃料電池装置の運転温度に応じて前記木炭水性ガスを冷却または加熱するガス冷却器またはガス加熱装置を設けることを特徴とする請求項８または９に記載の燃料電池発電システム。
【請求項１２】
前記木炭水性ガス発生装置と前記燃料電池装置との間に、ガス内のダストを除去する徐塵機またはガスフィルタを設けることを特徴とする請求項８ないし１１のいずれか１項に記載の燃料電池発電システム。
【請求項１３】
前記燃料電池装置において消費されなかった木炭水性ガスの残ガス（オフガス）のエネルギーを活用するための燃料電池オフガス利用装置を備えることを特徴とする請求項８ないし１２のいずれか１項に記載の燃料電池発電システム。
【請求項１４】
燃焼室と還元層と乾燥層とを有する縦型円筒状の木炭水性ガス発生装置と、木炭、水および空気を前記木炭水性ガス発生装置へ供給する各供給手段とを備える木炭水性ガス製造装置において、
前記還元層と燃焼室とを、燃焼室を外側とし伝熱壁を介して同心円筒状に配設し、前記燃焼室内に熱交換器を設け、この熱交換器に原水タンクから水を供給して水蒸気を発生しこの水蒸気を誘導加熱装置を介して加熱することにより、高温・高圧の過熱水蒸気を発生するようにし、かつ、前記過熱水蒸気と、前記燃焼室において木炭の燃焼により発生したＣＯ2ガスとを、前記還元層に導入するようにしてなり、
さらに、前記燃焼室は前記伝熱壁と下部円筒形部とにより形成し、前記還元層は前記伝熱壁と上部円筒形部とにより形成し、前記乾燥層は上部円筒形部により形成し、前記上部円筒形部には木炭水性ガス取出し口と木炭水性ガス発生装置の起動時燃焼空気吸引口とを設け、前記下部円筒形部には木炭投入口兼燃焼空気導入口を設け、かつ前記上部円筒形部の上蓋部には、木炭投入口を設けることを特徴とする木炭水性ガス製造装置。
【請求項１５】
前記過熱水蒸気の前記還元層への導入部は、還元層下部、還元層中間部、還元層上部の少なくとも一か所とすることを特徴とする請求項１４に記載の木炭水性ガス製造装置。
【請求項１６】
前記過熱水蒸気の前記還元層への導入部は、リング状に配設した複数個の噴射ノズルを備え、前記噴射ノズルから前記還元層へ過熱水蒸気を噴射して導入することを特徴とする請求項１４または１５に記載の木炭水性ガス製造装置。
【発明の詳細な説明】
【技術分野】
【０００１】
本発明は、木炭と水とから水性ガス反応により木炭水性ガスを製造する製造方法と装置、並びに同製造方法及び装置を使用した燃料電池発電システムに関する。
【背景技術】
【０００２】
クリーンなエネルギーとして燃料電池発電システムの実用化が進められている。燃料電池の形式には、電解質の種類、改質原料の種類等によって、高分子固体電解質型(PEFC)，リン酸型(PAFC)，熔融炭酸塩型(MCFC)，ならびに酸化物固体電解質型(SOFC)等があり、後者程、運転温度が高い。【０００３】
例えば、運転温度が約８０℃と比較的低いタイプのPEFCは、家庭用としての分散型の利用が期待されている（特許文献１参照）。また、出力１００ｋＷ程度のPAFC（運転温度が約２００℃）は、中小規模の分散型の電源としての利用が期待されている。一方、MCFC（運転温度が約６５０〜７００℃）やSOFC（運転温度が約９００〜１０００℃）は、比較的高い発電効率のため、大規模な電源としての利用が期待されている。【０００４】
PEFCやPAFCなどの中小規模の分散型燃料電池用の燃料ガスとしては、特許文献１にも記載されたように、従来、都市ガス（13Aガス）が一般的に使用されている。都市ガス以外に、ナフサやLPガス、さらには下水汚泥からメタン発酵処理して得られる消化ガスを利用した燃料電池も知られている（特許文献２参照）。【０００５】
ここで、燃料ガスの成分について言及すると、上記都市ガス（13Aガス）の成分は、ガス会社により多少の差異はあるものの、一般に、メタン(CH4)89.6[%]・エタン(C2H6)5.62[%]・プロパン（C3H8)3.43［%]・ブタン(C4H10)1.35[%]とされている。また，下水汚泥由来のメタンガスにおけるメタンの濃度は約60[%]と言われている。【０００６】
これらのガスを利用した燃料電池発電システムは既に実用化されているが、都市ガスを利用する場合は都市的インフラストラクチャーの普及度に左右される。また下水汚泥由来のメタンガスを利用する場合には、下水汚泥メタン発酵プラントとの併設になるので、分散用としては利用し難い面がある。また、分散型電源とし常用ならびに非常用に備えるために移動設置可能な液化石油ガス(LPG)を利用することも選択肢としては考えられているが、これも供給体制の面で制約される。そこで，地域単位で備蓄可能で持続可能なエネルギー源の調達が必要となる。【０００７】
前記燃料ガス以外に、木質バイオマス燃料の利用も検討されている（特許文献３参照）。
特許文献３の段落［０００３］には、バイオマス燃料を用いた発電方式として、下記が記載されている。即ち、「（１）バイオマス燃料を直接ボイラで燃焼させ、例えば、蒸気タービンにより発電する方式、（２）微生物を利用してバイオマス燃料を発酵させてメタンガスを取り出し、例えばガスエンジン、デュアルフュエルディーゼルエンジン、または燃料電池に供給して発電する方式、（３）バイオマス資源を、ガス発生炉においてガス化して可燃ガスを発生し、このガスを、例えばガスエンジンやデュアルフュエルディーゼルエンジンに供給して発電する方式等がある。」と記載されている。【０００８】
また、特許文献３の段落［００１４］〜［００１５］には、ガス化炉にバイオマス燃料を投入して、酸化および還元反応を用いて、CO, H2, CH4, C2H6等のガスを発生させ、この発生ガスを用いて発電することが記載されている。【０００９】
しかしながら、上記のようなバイオマス燃料を直接ガス化したガスを利用する場合には、発生ガスに含まれるタール分の処理が必要となり、この問題が、木質バイオマス燃料を利用した発電方式の実用化を妨げる大きな要因となっている。【００１０】
さらに、東日本大震災を経験した我が国においては、持続可能な安全でかつ取扱いの容易なエネルギー源として、歴史的に利用されてきた木炭の活用が注目されている。木炭は薪と比較してエネルギー密度が高く貯蔵ならびに流通性に優れる。さらに、持続性の点から見ても地域社会単位の歴史的な製炭業を復活させれば容易に確保できる利点があると考えられる。特にエネルギー源としての貯蔵の容易さならびに質の変動のなさは地域単位で備蓄する場合の優位性に富むと言える。【００１１】
上記木炭と水とから水性ガス反応により木炭水性ガスを製造する製造方法と装置に関しては、従来から木炭を利用した自動車(木炭バス)の歴史もありある程度完成している。
本願発明者等も、木炭水性ガスを利用して、自動車用ガソリンエンジンをガスエンジンの形で駆動し発電を行う方式を開発し実証実験を完了している。【００１２】
この木炭の利用によれば、現代における地球規模の課題である温室効果ガス(特に、CO2)フリーとなるので、環境上のメリットも期待できる。【００１３】
木炭水性ガスは、木材(2C42H60O28)を製炭して得られる木炭(3C10H5O＋C30H20O3)と水(H2O)とから水性ガス反応により作られる。その組成は、水素ガス(H2)約60[%]・一酸化炭素(CO)約20[%]・残り二酸化炭素（CO2）・メタンガス（CH4）の混合ガスである。木炭水性ガスを利用する場合には、都市ガスなどを利用する時に必要な「脱硫器」を必要とせず、プロセスのシンプル化が期待できる。【００１４】
ところで、木炭の水性ガス反応は吸熱反応であり、それに必要な熱エネルギーの供給が不可欠となる。都市ガス利用の場合には、改質器において起動時には都市ガスを使い、起動後は燃料電池動作におけるオフガスを用いて熱エネルギーの供給を行う。この方式の場合、両ガスの発熱量に大きな差異があること、ならびに構造上同一バーナーで燃焼させることが必要であり、その安定性確保に高度な制御技術が必要となる。これに対して、木炭水性ガス反応の場合には、木炭(固体)と水とから木炭水性ガスを作るので、吸熱反応に必要な熱エネルギーは木炭の一部を燃焼させることで容易に確保できる。またその燃焼に関する制御も目視可能とすることで容易となる。【００１５】
従来の木炭水性ガス発生装置の概略構成および木炭水性ガス発生の反応形態を説明する図を、図７および図８に示す。従来の装置は、一般に、酸化層（以下、燃焼室ともいう。
）、還元層、乾燥層とから構成された縦型木炭水性ガス発生装置の前記酸化層の下方に、外部から水を供給することにより、木炭水性ガスを発生するように構成されている。図７、図８に基づいて、装置の構成および木炭水性ガス発生の反応形態について詳述する。【００１６】
図７に示す縦型木炭水性ガス発生装置５１は、木炭充填部５２と、その下方に設けた火格子５３と、木炭充填部５２の上方から木炭水性ガスＧを取出すための取出装置５８とからなる。前記木炭充填部５２は後述する図８に示すように、酸化層（燃焼室）７ａと、還元層９ａと、乾燥層１０ａとからからなる。なお、火格子５３の下方は、燃焼した木炭の灰層１１ａである。【００１７】
さらに、図７に示すように、木炭水性ガス発生装置５１の下方には、焚き口５４と、燃焼室の点検口５５と、燃焼室の側壁を包囲する耐火材５６とが設けられ、上方には、木炭水性ガスの発生を確認するためのガス点検トーチ５７が設けられている。また、前記取出装置５８には、ガス内のダストを除去するためのフィルター６０が設けられている。このフィルター６０は、例えば、コークス層と金タワシ等の層とからなる。【００１８】
そして、木炭水性ガスＧを発生するためには、装置下方に、燃焼用の空気Ａと水Ｗとを供給する。そして、木炭の燃焼熱により水を加熱し、水蒸気とされた水と木炭との水性ガス反応によって、木炭充填部５２の主として還元層９ａにおいてＨ2・ＣＯガス主体の木炭水性ガスを発生し、乾燥層１０ａを経由して、前記取出装置５８から木炭水性ガスＧを取出す。【００１９】
上記装置の運転の際、各部の温度帯域は酸化層７ａは約900〜1300℃，還元層９ａは800〜900℃，乾燥層１０ａは600〜800℃に維持されるように酸化層７ａの燃焼度合いを制御する。なお、燃焼は酸化層下部の焚き口５４に適当な燃焼副材を投入後着火し開始する。着火後内部の温度条件が確立し木炭水性ガスが発生したことを、ガス点検トーチ部５７における着火により確認する。【００２０】
ガス発生の安定状態を確認後は、燃焼に必要な理論空気量ならびに内部温度条件を維持する。各層間で木炭由来の炭素と燃焼用空気ならびに水(水蒸気)により生じる化学反応は、図８に示す通りと言われている。この結果、木炭水性ガス発生装置で水素ガス(H2)ならびに一酸化炭素(CO)主体の混合ガスが作られる。【００２１】
次に、図８について詳述する。図８は、塩ノ谷幸造著「木炭自動車」（1996年、株式会社パワー社発行）を参考にして作成したものである。前述の酸化層７ａ、還元層９ａ、乾燥層１０ａ、灰層１１ａを左側に模式的に示し、その右側には各層における化学反応を示す。【００２２】
酸化層７ａでは、Ｃ＋Ｏ2→ＣＯ2（炭素の完全燃焼）および２Ｃ＋Ｏ2→２ＣＯ（炭素の不完全燃焼）が行われ、燃焼熱を発生する。【００２３】
還元層９ａでは、Ｃ＋ＣＯ2→２ＣＯ（還元反応）、Ｃ＋Ｈ2Ｏ→ＣＯ＋Ｈ2およびＣ＋２Ｈ2Ｏ→ＣＯ2＋２Ｈ2（水性ガス反応）、ＣＯ＋Ｈ2Ｏ→ＣＯ2＋Ｈ2（シフト反応）、ならびに、ＣＯ＋３Ｈ2→ＣＨ4＋Ｈ2ＯおよびＣ＋２Ｈ2→ＣＨ4の反応が行われる。なお、上記５つの反応の内、還元反応および水性ガス反応は吸熱反応であるので、反応を適正に行うためには、熱供給が必要であり、この熱供給は、酸化層７ａにおける燃焼熱によって行われる。【００２４】
従って、木炭水性ガスとしては、Ｈ2・ＣＯガス主体で、その他ＣＯ2・ＣＨ4を含む混合ガスとなる。その組成は前述のように、水素ガス(H2)約60[%]・一酸化炭素(CO)約20[%]・残り二酸化炭素（CO2）・メタンガス（CH4）の混合ガスである。【００２５】
ところで、上述したような従来の木炭水性ガス製造装置によって木炭水性ガスを製造する場合、水性ガス反応の安定性やガス化効率が十分ではなく、また、燃料電池と組み合わせた場合の運転制御性にも難がある等の問題がある。その理由は下記のとおりである。【００２６】
上記従来の装置の場合、木炭水性ガスを発生する際に、装置下方に水Ｗを滴下して水蒸気を発生し、その水蒸気を還元層に導入するようにしているので、水蒸気が燃焼用の空気Ａに乗って飛散し、還元層への水蒸気の導入制御が適正にできない。即ち、木炭水性ガス反応温度帯域維持の安定的制御ができない。また、酸化層（燃焼室）における燃焼の制御も適正にできない。従って、水性ガス反応の安定性やガス化効率が低下する。また、上記の不適正は、燃料電池における燃料ガスの供給にも影響を及ぼし、燃料電池の運転制御性にも問題が生ずる。【００２７】
一方、特許文献４には、上記木炭水性ガスを製造する製造方法と装置に関する改良技術が記載されている。また、木炭水性ガスを発電装置に利用することも記載されている。【００２８】
特許文献４は、その要約や段落［００１４］の記載から明かなように、「化石燃料を全く消費しないで炭化処理すること、および炭化温度の制御性を高めるとともに高温炭化の制御性を高めることを目的として、炭化炉２内もしくは別置きのガス化炉内で、木炭が８００℃〜１２００℃に高温化した段階において空気および水蒸気と接触させてガス化反応を起こさせて多量の可燃ガスを含む木炭ガスを製造し、この木炭ガスを燃焼ガス発生供給手段３にて燃焼させて得られる燃焼ガスで被処理物を加熱して炭化処理を行うこと」を開示している。また、「この木炭ガスを使用して発電手段１２にてガス発電を行い、得られた電力で炭化処理システムの機器を運転する。」ことも開示している。【００２９】
さらに、特許文献４は図１又は図２の実施例において、「炭化炉２又はガス化炉１０において発生した木炭ガスにより、熱交換器を介して水を加熱して水蒸気を発生し、この水蒸気を炭化炉２の上部又はガス化炉１０の下部に導入することにより、木炭水性ガス反応を行うこと」も開示している。【００３０】
しかしながら、特許文献４に記載された製造方法と装置によっても、下記のように、水性ガス反応の安定性やガス化効率が十分ではなく、燃料電池と組み合わせた場合の運転制御性にも問題がある。【００３１】
即ち、特許文献４に記載された方式の場合、後述する本願発明と比較して、木炭水性ガス反応のための熱供給系の制御が多元的となるので、木炭水性ガス反応温度帯域維持の安定的制御ができず、また、燃料電池と組み合わせた場合の運転制御性にも難がある。詳細は後述する本願発明の説明によって理解される。
【先行技術文献】
【特許文献】
【００３２】
【特許文献１】特開２００２−１２４２８８号公報
【特許文献２】特開平１１−１２６６２９号公報
【特許文献３】特開２００６−８３２９３号公報
【特許文献４】特開２００３−２５３２７８号公報
【発明の概要】
【発明が解決しようとする課題】
【００３３】
本発明は上記の点に鑑みなされたものであり、その目的は、水性ガス反応の安定性やガス化効率の向上を図り、また、燃料電池と組み合わせた場合の運転制御性の向上を図った木炭水性ガス製造方法と装置、並びに同製造方法及び装置を使用した燃料電池発電システムを提供することにある。
【課題を解決するための手段】
【００３４】
前記目的を達成するために、本発明によれば、酸化層（燃焼室）と還元層と乾燥層とを有する縦型円筒状の木炭水性ガス発生装置と、木炭、水および空気を前記木炭水性ガス発生装置へ供給する各供給手段とを備える木炭水性ガス製造装置を用いて、木炭と水とから水性ガス反応により木炭水性ガスを製造する方法において、
前記還元層と燃焼室とを、燃焼室を外側とし伝熱壁を介して同心円筒状に配設し、かつ前記燃焼室内に熱交換器を設け、この熱交換器に水を供給して高温・高圧の過熱水蒸気を発生し、この過熱水蒸気を前記還元層に導入することによって前記水性ガス反応を行わせることとする。【００３５】
また、前記過熱水蒸気の温度は、使用する木炭に応じて異なった温度とすることが好ましい。その理由は、還元層の温度帯域（800〜900℃）において、水性ガス反応度ならびに水性ガスシフト反応度が、精煉度・孔の面積などの木炭の性質により変動するので、反応を適正に制御するためには、使用する木炭の性質に応じて、過熱水蒸気の温度を異なった温度とすることが好ましいからである。【００３６】
さらに、前記目的を達成するための木炭水性ガス製造装置としては、本発明によれば、燃焼室と還元層と乾燥層とを有する縦型円筒状の木炭水性ガス発生装置と、木炭、水および空気を前記木炭水性ガス発生装置へ供給する各供給手段とを備える木炭水性ガス製造装置において、
前記還元層と燃焼室とを、燃焼室を外側とし伝熱壁を介して同心円筒状に配設し、前記燃焼室内に熱交換器を設け、この熱交換器に水を供給して高温・高圧の過熱水蒸気を発生するようにし、かつ、前記過熱水蒸気と、前記燃焼室において木炭の燃焼により発生したＣＯ2ガスとを、前記還元層に導入するようにしてなり、さらに、前記燃焼室は前記伝熱壁と下部円筒形部とにより形成し、前記還元層は前記伝熱壁と上部円筒形部とにより形成し、前記乾燥層は上部円筒形部により形成し、前記上部円筒形部には木炭水性ガス取出し口と木炭水性ガス発生装置の起動時燃焼空気吸引口とを設け、前記下部円筒形部には木炭投入口兼燃焼空気導入口を設け、かつ前記上部円筒形部の上蓋部には、木炭投入口を設けるものとする。【００３７】
また、前記発明の実施態様としては、前記燃焼室内に設ける熱交換器は、前記下部円筒形部の筒の内部に管を螺旋状に巻回したものとし、前記管内に水を通流してなるものとすることが、熱交換器の構成をシンプルとする観点から好ましい。【００３８】
さらに、前記同心円筒状に配設した前記還元層および燃焼室の下方には格子を設け、この格子の隙間から、前記木炭の燃焼により発生したＣＯ2ガスを前記還元層へ導入し、かつこの格子の下方に、燃焼に伴って発生する灰を排出するようにすることが好ましい。【００３９】
また、前記過熱水蒸気の前記還元層への導入は、前記還元層の下方から前記格子を貫通して行うようにするか、あるいは、前記還元層の上方から前記上蓋部および乾燥層を貫通して行うようにすることが好ましい。【００４０】
そして、前記目的を達成するための燃料電池発電システムの発明としては下記を特徴とする。即ち、燃焼室と還元層と乾燥層とを有する縦型円筒状の木炭水性ガス発生装置と、木炭、水および空気を前記木炭水性ガス発生装置へ供給する各供給手段とを備える木炭水性ガス製造装置と、前記燃焼室において発生した木炭の燃焼熱により水を過熱して、高温・高圧の過熱水蒸気を発生するようにした過熱水蒸気発生器と、前記木炭水性ガス製造装置において生成した木炭水性ガスを燃料ガスとして供給して発電する燃料電池装置とを備える木炭水性ガス式燃料電池発電システムであって、
前記過熱水蒸気発生器において発生した過熱水蒸気を前記木炭水性ガス発生装置が有する還元層へ導入して水性ガス反応を行わせるようにすることを特徴とする。【００４１】
また、前記発明の実施態様としては、前記木炭水性ガス発生装置と過熱水蒸気発生器とを組合せ、かつ、前記過熱水蒸気発生器において発生した過熱水蒸気を前記木炭水性ガス発生装置が有する還元層へ導入して水性ガス反応を行わせるようにする装置は一体化して構成した木炭水性ガス製造装置とし、この一体化して構成した装置は、前述した木炭水性ガス製造装置のいずれか一つに記載の装置とすることを特徴とする。【００４２】
さらに、前記木炭水性ガス発生装置と前記燃料電池装置との間に、前記木炭水性ガスに含有するＣＯを改質するＣＯ改質機を設け、このＣＯ改質機に、前記過熱水蒸気発生器において発生した過熱水蒸気を供給して、ＣＯをＣＯ2にシフトするシフト反応を行わせるようにすることが好ましい。燃料電池が前記PEFCやPAFCなどの場合には、燃料ガス内にＣＯを含むことは、電極触媒劣化の観点から好ましくないので、前記シフト反応を行わせるようにすることが好ましい。【００４３】
また、前記木炭水性ガス発生装置と前記燃料電池装置との間に、前記燃料電池装置の運転温度に応じて前記木炭水性ガスを冷却または加熱するガス冷却器またはガス加熱装置を設けることが好ましい。燃料電池が、前記PEFCやPAFCなどの場合にはガス冷却器を必要とし、MCFCやSOFC、特にSOFCの場合にはガス加熱装置を必要とする。【００４４】
さらに、前記木炭水性ガス発生装置と前記燃料電池装置との間に、ガス内のダストを除去するために、徐塵機またはガスフィルタを設けることが好ましい。【００４５】
さらにまた、前記燃料電池装置において消費されなかった木炭水性ガスの残ガス（オフガス）のエネルギーを活用するための燃料電池オフガス利用装置を備えることが、省エネの観点から好ましい。
【発明の効果】
【００４６】
上記の木炭水性ガス製造方法の発明によれば、木炭水性ガス反応（吸熱反応）のための熱供給を、燃焼室において発生する燃焼熱の伝熱壁を介しての熱伝達や、燃焼排ガスや過熱水蒸気が有する熱などにより行うので、適正かつ安定した熱供給が実現可能であり、かつ熱供給の制御が一元的となるので、従来技術に比較して木炭水性ガス反応温度帯域維持の安定的制御ができる。その結果、木炭水性ガス発生の熱効率が向上すると共に、後に詳述するように、燃料電池と組み合わせた場合の運転制御性の向上を図ることができる。【００４７】
また、上記の木炭水性ガス製造装置の発明によれば、シンプルな構成により上記の製造方法が実施でき、また、制御性も良好となる。【００４８】
さらに、上記の燃料電池発電システムの発明によれば、燃料電池の燃料ガスとして木炭水性ガスを利用するので、従来の燃料電池発電システム、即ち、都市ガス、下水汚泥由来のメタンガス、木質バイオマス燃料等を利用したシステムに比較して、背景技術の項で記載したような利点を有する。また、上記の木炭水性ガス製造装置と組み合わせることにより、効率の向上および運転制御性の向上を図ることができる。【００４９】
木炭水性ガスを利用した燃料電池発電システムは、従来実施されていないシステムである。そこで、前述の記載と一部重複するものの、あらためて、木炭水性ガス式燃料電池発電システムの技術的かつ社会的優位性についてまとめて列記すると、以下のとおりである。
（１）木炭水性ガスの利用によれば温室効果ガス(特に、CO2)フリーとなり、また、燃料電池からの排出物は水のみとなるので、環境上のメリットが大きい。
（２）低騒音化が容易に実現できるので電力需要先に近接設置可能であり、かつ、地域の分散型エネルギー設備として多様化も可能であり、社会的利用メリットが大きい。
（３）設備全体のコンパクト化が可能である。
（４）設備全体の制御性が良く、かつ取扱いが容易である。
（５）従来のバイオマス燃料を直接ガス化したガスを利用する場合と比較して、発生ガスに含まれるタール分の処理が不要のためメンテナンス性が良く、かつ、高効率である。
（６）間伐材の利用促進により林地の適正化を図ることができ、森林の修復に貢献できる社会的メリットがある。
【図面の簡単な説明】
【００５０】
【図１】本発明の実施形態による木炭水性ガス製造装置の模式断面図。
【図２】本発明の実施例による木炭水性ガス製造装置の側断面図。
【図３】本発明の異なる実施例による木炭水性ガス製造装置の側断面図。
【図４】本発明の実施形態による木炭水性ガス式燃料電池発電システムの概略系統図。
【図５】本発明の異なる実施形態による木炭水性ガス式燃料電池発電システムの概略系統図。
【図６】図４の木炭水性ガス式燃料電池発電システムに係る実施例のエネルギー収支の試算結果の一例を示す図
【図７】従来の木炭水性ガス発生装置の概略構成を示す図
【図８】従来の木炭水性ガス発生装置における木炭水性ガス発生の反応形態の説明図
【図９】本発明の誘導加熱装置を用いた実施例による木炭水性ガス製造装置の構成概念図。
【図１０】図９の実施例に関し加熱水蒸気噴射ノズルの形態を示した木炭水性ガス製造装置の構成概念図。
【発明を実施するための形態】
【００５１】
以下、この発明による実施の形態について、図１〜６、９および１０に示す実施例に基づいて説明する。なお、前記図１〜６、９および１０において、機能が同一の対応部材には同一符号を付して、それらの重複説明を省略する。
【００５２】
図１は本発明の実施形態による木炭水性ガス製造装置の模式断面図であり、図２は、本発明の実施例による木炭水性ガス製造装置の側断面図であり、図３は、本発明の異なる実施例による木炭水性ガス製造装置の側断面図である。
【００５３】
図１に示す木炭水性ガス製造装置は、木炭水性ガス発生装置１と、図示しない木炭、水および空気を前記ガス発生装置へ供給する各供給手段と、温度計測装置および運転制御装置と、ならびに過熱水蒸気導入手段（図２，３には図示）とからなる。
【００５４】
前記木炭水性ガス発生装置１は、木炭投入口上蓋部２、起動時燃焼空気吸引口３、木炭投入口兼燃焼空気孔４、灰排出口５、格子６、酸化層（燃焼室）７、還元層９、乾燥層１０、灰層１１、熱交換器としての水管１２、下部円筒形部１３、木炭水性ガス取出し口１４、上部円筒形部１５、伝熱壁１６、下部円筒形部１３と上部円筒形部１５とのフランジ結合部１７を備える。
【００５５】
図２〜３に示す実施例は、上記図１に係る木炭水性ガス製造装置の実施例であり、一部の記載を省略または追加した図である。図２の実施例は、熱交換器としての水管１２において生成した過熱水蒸気を還元層９の下方から前記格子６を貫通して導入するようにしてなる過熱水蒸気導入手段１８を備えた実施例であり、図３は還元層９の上方から前記上蓋部２および乾燥層１０を貫通して導入するようにしてなる過熱水蒸気導入手段１８ａを備えた実施例である。構造上の観点からは上方から導入する方が簡便で有利であるが、熱ロスの観点からは下方から導入する方が有利である。なお、導入された過熱水蒸気Ｓは、木炭水性ガス取出し口１４から流出するガスの吸引作用により、過熱水蒸気Ｓの導入部から上方へ流れて拡散する。
【００５６】
図１に示す木炭水性ガス発生装置１と、図７に示した従来の木炭水性ガス発生装置５１との基本的な相違は酸化層と還元層の配置関係であり、従来の装置は酸化層と還元層とが円筒状に垂直方向上下に配設されているのに対し、本発明に係る図１に示す木炭水性ガス発生装置１の場合には、装置の下方に同心円筒状に配設した点である。即ち、前記還元層９と燃焼室７とを、燃焼室７を外側とし伝熱壁１６を介して同心円筒状に配設し、前記燃焼室７内に熱交換器としての水管１２を設け、この熱交換器１２に水を供給して高温・高圧の過熱水蒸気を発生するようにし、かつ、この過熱水蒸気と、前記燃焼室７において木炭の燃焼により発生したＣＯ2ガス８とを、前記還元層９に導入するようにした点である。
【００５７】
この構成により、本発明によれば、酸化層（燃焼室）７における燃焼制御が容易となり、また、酸化層７の好適な制御により、木炭水性ガス発生の反応メカニズム上、重要となる高温・高圧の過熱蒸気を発生させ、その制御も容易にすることが可能となる。
【００５８】
なお、図１に示す木炭水性ガス発生装置１の構成部材は、例えば、概ね鋼板製で、下部円筒形部１３および上部円筒形部１５はフランジ結合部１７でボルト結合され、各円筒形部は、その内方に断熱層を備えている。また、熱交換器としての水管への水導入部には、図示しない原水タンクを設けることができる。さらに、過熱水蒸気導入手段には、過熱水蒸気圧力の緩衝手段として図示しない水蒸気タンクを設けることもできる。これらの図示しない構成を有する実施例については、図９および１０に基づいて後述する。
【００５９】
次に、木炭水性ガス製造装置の運転方法について述べる。
【００６０】
まず、酸化層（燃焼室）７、還元層９および乾燥層１０の各部に木炭を充填し、木炭水性ガス取出し口１４に設けた図示しないバルブが、閉の状態であることを確認する。
【００６１】
続いて、起動時燃焼空気吸引口３を開とし，同吸引口に装着する図示しない吸引ブロアで吸引する。燃焼用空気を吸引しつつ、酸化層（燃焼室）７上部周辺に設けた複数個（例えば６個）の燃焼用木炭投入口兼燃焼用空気孔４の位置から着火する。着火後は、燃焼用木炭投入口兼燃焼用空気孔４に設けた図示しない空気量調節用シャッターを調節し、酸化層（燃焼室）７全体が、図示しない温度計測装置によって計測された所定の温度（図示しない運転制御装置が示す温度表示Ｉ）に達した状態を確認後、その燃焼状態を維持する。
【００６２】
酸化層（燃焼室）７の燃焼状態安定後、酸化層の外周に設けた伝熱壁１６を介し伝達される燃焼熱ならびに格子６経由で還元層９に流入する燃焼排ガス（ＣＯ2ガス）８により還元層９内の木炭が加熱される。還元層９内の温度が所定の温度（図示しない運転制御装置が示す温度表示ＩＩ）に達した後、木炭水性ガスの発生状況を、木炭水性ガス取出し口１４に併設する図示しないガス点検トーチに設けた確認用ノズルを開とし、ガスに着火し確認する。この場合、前記燃焼用空気の吸引ブロアは停止し前記起動時燃焼空気吸引口３は閉にしてから行なう。
【００６３】
その後、前記確認用ノズルを閉とし、木炭水性ガス取出し口１４に設けた図示しないバルブを開にして、例えば、後述する燃料電池システムにおける燃料ガスの回路に木炭水性ガスを送る。この状態において燃焼ならびに木炭水性ガス反応を維持するために必要な空気量の調整は、図示しない燃料電池側の吸引高圧ブロワーの出力調整と、前記空気量調節用シャッターの調節とにより行う。
【００６４】
燃焼状態ならびに還元層内の温度の安定を確認後、燃焼室７に設けた水管１２、図示しない外部に設けた原水タンクならびに水蒸気タンクからなる水蒸気供給機能部により、高温雰囲気の還元層９内に、高温・高圧の過熱水蒸気を供給する。これにより、図８に示した木炭水性ガス反応が維持される。過熱水蒸気の温度は、例えば、６００℃である。なお、使用する木炭の性質によっては、例えば、８００℃とする。
【００６５】
木炭水性ガス発生装置１内での各種の反応については、図８に示した通りである。まず、第一に酸化層(燃焼室)７で木炭を燃焼し、木炭水性ガス発生装置１の還元層９を反応に必要な温度帯域に維持する。そのためには燃焼状態の安定が条件となる。加えて、還元層９での還元反応（C＋CO2→2CO）を安定させるために燃焼で生じた二酸化炭素(CO2)を有効に利用すべく酸化層７から還元層に誘導する。
【００６６】
次に酸化層(燃焼室)７から例えば同心円状の鋼板製伝熱壁１６を介して、還元層９に充填された木炭が加熱され、還元層内は高温の還元雰囲気となる。この状態で、先に酸化層７で発生した高温・高圧の過熱水蒸気を供給することにより、木炭水性ガス反応（C＋H2O→CO＋H2，C＋2H2O→CO2＋2H2）を生じさせる。さらに、還元層９内ではシフト反応(CO＋H2O →CO2＋H2)が起こる。これらの還元反応，水性ガス反応は吸熱反応であるので、前記伝熱壁１６を介して熱供給を行い、水性ガス反応に必要な温度帯域を維持する。
【００６７】
なお、図１に示す木炭水性ガス製造装置に設ける図示しない温度計測装置は、少なくとも、酸化層（燃焼室）７および還元層９にそれぞれ設け、必要に応じて、その他の部分に設けることもできる。また、図示しない運転制御装置は、温度計測装置における計測値の入力によってその計測値を表示すると共に、必要な温度帯域が維持できるように、燃焼空気量の調整操作を行うための制御を行う。
【００６８】
水性ガス反応，還元反応，シフト反応で作られる木炭水性ガスの組成は、前述のように一般に、水素ガス(H2)約60[%]，一酸化炭素(CO)約20[%]，残り(二酸化炭素CO2・メタンCH4)といわれている。この一酸化炭素(CO)ならびに水素ガス(H2)主体の木炭水性ガスを燃料電池の燃料に使う場合、燃料電池の形式によっては、一酸化炭素(CO)の分離・改質を必要とする。
【００６９】
次に、木炭水性ガスを燃料ガスとして利用する燃料電池発電システムについて述べる。
【００７０】
図４は、本発明の実施形態による木炭水性ガス式燃料電池発電システムの概略系統図であり、燃料電池が、水素ガス(H2)のみを燃料とする高分子固体電解質型(PEFC)・リン酸型(PAFC)に木炭水性ガスを利用する場合のシステムフローを示す。
【００７１】
図４に示す燃料電池発電システムは、木炭水性ガス発生装置１ａと、過熱水蒸気発生器１２ａと、燃料電池装置２０と、除塵機２１と、ＣＯ改質機２２と、ガス冷却器２３と、ガスフィルタ２４と、燃料電池オフガス利用装置２６とからなる。なお、２５はガス冷却器２３において発生した凝縮水を示す。
【００７２】
そして、上記システムにおいては、前記過熱水蒸気発生器１２ａにおいて発生した過熱水蒸気を前記木炭水性ガス発生装置４が有する還元層へ導入して水性ガス反応を行わせるようにする。
【００７３】
なお、前記木炭水性ガス発生装置１ａと過熱水蒸気発生器１２ａとを組合せ、かつ、前記過熱水蒸気発生器において発生した過熱水蒸気を前記木炭水性ガス発生装置が有する還元層へ導入して水性ガス反応を行わせるようにする装置は一体化して構成することができ、この一体化して構成した装置は、前記図１に示した木炭水性ガス製造装置とすることが好ましい。
【００７４】
図４に示すシステムにおける燃料電池が前記PEFCおよびPAFCの場合、木炭水性ガスの組成中に一酸化炭素(CO)が約20%含まれるので、さらに水蒸気改質を行い最終的な水素含量を増大させる必要がある。そのため、前記ＣＯ改質機２２を設ける。従来技術によれば、一酸化炭素(CO)を吸着・再放出などのプロセスにより除去しているが、前記ＣＯ改質機２２においては、(CO)を除去するのではなく、過熱水蒸気発生器１２ａからＣＯ改質機２２に供給する過熱水蒸気と(CO)とのシフト反応（CO＋H2O→CO2＋H2）により、(CO)を(CO2)化することにより改質する。
【００７５】
図４に示すシステムにおいては、木炭水性ガス発生装置１ａと燃料電池装置２０との間に、ガス内のダストを除去するために、徐塵機２１またはガスフィルタ２４を設けている。また、燃料電池装置２０の運転温度に応じて木炭水性ガスを冷却するために、ガス冷却器２３を設け、さらに、燃料電池装置２０において消費されなかった木炭水性ガスの残ガス（オフガス）のエネルギーを活用するために、燃料電池オフガス利用装置２６を設けている。
【００７６】
前記PEFCならびにPAFCにおいて、従来より一般的に行なわれている都市ガス(13A)を使用する場合には、ガス中に含まれる硫黄分を除去するために脱硫器が必要であり、また、下水汚泥や畜産廃棄物由来のメタンを利用する場合には、前処理装置で硫化水素(H2S)・シロキサ(R3SiO-(R2SiO)n-SiR3)・アンモニア(NH3)を除去する必要がある。木炭水性ガスを利用する場合には、その必要性がなく、システムがシンプル化すると同時に、除去に伴い発生する硫化水素などの有害物処理の必要性もなく、設備全体の維持管理が容易となる。
【００７７】
次に図５について述べる。図５は、本発明の異なる実施形態による木炭水性ガス式燃料電池発電システムの概略系統図であり、燃料電池が、水素ガス(H2)と一酸化炭素(CO)双方を燃料として使可能な溶融炭酸塩型(MCFC)ならびに酸化物固体電解質型(SOFC)に木炭水性ガスを利用する場合のシステムフローを示す。
【００７８】
図５に示すシステムの場合、一般的に都市ガス(13A)を使用する時必要とする脱硫器ならびに下水汚泥や畜産廃棄物由来のメタンを利用する場合不可欠とされている前処理装置の必要性がないことに加え、一酸化炭素(CO)改質機も必要としない。従って、システムが極めてシンプルとなり、設備の維持管理も一層容易となる。
【００７９】
図５に示すシステムの場合、燃料電池の運転温度が比較的高いので、燃料電池装置２０の運転温度に応じて木炭水性ガスを加熱するためにガス加熱装置３０を設けている。
【００８０】
図５に示すシステムによれば、図４に示すシステムと同様に、木炭の燃焼熱を、(イ)木炭水性ガス反応温度帯域維持や、(ロ)水性ガス化の効率向上のために必要な過熱水蒸気発生部に利用することができる。その際、吸熱反応に対する熱供給系の制御が一元的であるので、多元的制御となる従来技術に比較して制御が容易となる。さらに、(ハ)燃料電池における加熱のエネルギー源を一元化でき、運転管理の容易さと系の安定化を図ることができる。
【００８１】
特に、従来の燃料電池システムにおいて都市ガス(13A)などを利用する場合、改質器用熱源を、都市ガスと、変動の激しい燃料電池オフガスとを利用する方式が一般的であるので、この場合、系の制御が多元的になる。このような従来の方式に比較して、木炭水性ガスを利用する本発明の場合には、上述の通り各部の加熱用熱源を酸化層（燃焼室）の燃焼状態制御に一元化できるので、制御が容易となる。
【００８２】
次に、図６について述べる。図６は図４の木炭水性ガス式燃料電池発電システムに係る実施例のエネルギー収支の試算結果の一例を示す図である。
【００８３】
図６は、出力１００ｋＷのリン酸型燃料電池(PAFC)を対象として試算したもので、この場合、必要な木炭水性ガス量は、９０［ｍ3／ｈ］であり、木炭供給量は、約２３［ｋｇ／ｈ］となる。ここで、木炭水性ガス１［ｍ3］中の水素分の重量は、水素濃度最大６０％として、５３．５８ｇである。
【００８４】
以上、図１〜図６に基づいて、本発明の基本的な実施形態を説明したが、本発明は上記の実施形態または実施例に限定されるものではなく、本発明の技術思想の範囲内において、適宜、変更が可能である。
【００８５】
例えば、図１に示す木炭水性ガス発生装置１は、上部円筒形部および下部円筒形部をフランジ結合した２分割構造であるが、燃料電池の出力に応じて木炭水性ガスガス発生装置の容量を可変とできるようにすべく、３分割以上の分割構造とすることもできる。また、熱交換器としての水管１２の構成や配置は、必要に応じて適宜変更可能である。
【００８６】
さらに、図１〜３の実施形態の変形として、図１に示す熱交換器としての水管１２は単なる水蒸気発生手段とし、図２または３に示す過熱水蒸気導入手段１８または１８ａに水蒸気を再加熱する再加熱手段を設けて過熱水蒸気を発生するようにすることもできる。前記再加熱手段としては、図１の燃焼室とは別に設けた木炭の燃焼装置とすることや、別の加熱装置、例えば、電磁誘導を用いた誘導加熱装置とすることもできる。
【００８７】
また、図２，３に示す過熱水蒸気Ｓの導入部は、複数個の噴射ノズルをリング状中空配管のリング内方に設けたものとすることができる。
【００８８】
次に、過熱水蒸気発生手段として誘導加熱装置を用いた異なる実施例や、過熱水蒸気の導入部に噴射ノズルを設けた実施例について、図９および１０に基づいて述べる。
【００８９】
図９は、本発明の誘導加熱装置を用いた実施例による木炭水性ガス製造装置の構成概念図であり、図１０は、図９の実施例に関し加熱水蒸気噴射ノズルの形態を示した木炭水性ガス製造装置の構成概念図である。
【００９０】
図９における木炭水性ガス発生装置本体１は、図１に示す木炭水性ガス発生装置本体１と略同一であるが、過熱水蒸気の還元層９への導入部は、還元層下部用導入部６５ａ、還元層中間部用導入部６５ｂ、還元層上部用導入部６５ｃの３か所に配設している点が主に異なる。
そして、前記導入部６５ａ、６５ｂ、６５ｃに対して、それぞれ流量調節用のバルブ４４、４５、４６を介して誘導加熱装置６４によって加熱された過熱水蒸気が導入され、図１０に示すように、前記導入部にリング状に設けた例えば６個の過熱水蒸気噴射ノズル６６から、還元層９へ過熱水蒸気が噴射される。なお、かならずしも、噴射ノズルをリング状に複数個設ける必要はなく、棒状で縦長の導入部に複数個設けることもできる。
また、図９および１０に示す実施例においては、燃焼室７内に設けた熱交換器としての水蒸気発生コイル６２に原水タンク６１から水を供給して発生した水蒸気を、前記誘導加熱装置６４に通流して加熱することにより過熱水蒸気を発生する。
なお、図９および１０において、６３は圧力緩衝用に設けた水蒸気タンク、４１，４２，４３は流量調節用のバルブ、６４ａは誘導加熱装置６４用の電源である。誘導加熱装置としては、例えば、野村技工株式会社製の過熱蒸気発生装置「Genesis（商品名）」を用いることができる。
【００９１】
次に、前述のように過熱水蒸気の還元層９への導入部を、還元層下部、還元層中間部および還元層上部の３か所に配設する理由について述べる。
前記水生ガス反応は、木炭に水蒸気が接触した部分で起きるので、過熱水蒸気噴射ノズルから還元層へ過熱水蒸気が噴射される部分が多い程、木炭水生ガスの発生量が増大する。従って、前記図９および１０の実施例によれば、木炭水生ガスを利用する燃料電池装置が必要とされる発電量に応じて、過熱水蒸気の還元層９への導入部における過熱水蒸気の導入割合を、噴射ノズルの位置や各噴射ノズルにおける噴射量の調節によって、位置的および量的に制御することができる。
なお、対象とするシステムによっては、前記過熱水蒸気の還元層への導入部は、還元層下部のみでよい場合もあるし、また、下部、中間部、上部の２か所を組合せる場合や、３か所全てを用いる場合があり得る。
【００９２】
なお、過熱水蒸気発生手段として、前記誘導加熱装置に代えて、木炭燃焼装置を用いることも可能である。
【符号の説明】
【００９３】
１、１ａ：木炭水性ガス発生装置、２：木炭投入口上蓋部、３：起動時燃焼空気吸引口、４：木炭投入口兼燃焼空気孔、５：灰排出口、６：格子、７：酸化層（燃焼室）、８：ＣＯ２ガス、９：還元層、１０：乾燥層、１１：灰層、１２：水管（熱交換器）、１２ａ：過熱水蒸気発生器、１３：下部円筒形部、１４：木炭水性ガス取出し口、１５：上部円筒形部、１６：伝熱壁、１７：フランジ結合部、１８、１８ａ：過熱水蒸気導入手段、２０：燃料電池発電装置、２１：除塵機、２２：ＣＯ改質機、２３：ガス冷却器、２４：ガスフィルタ、２５：凝縮水、２６：燃料電池オフガス利用装置、３０：ガス加熱装置、４１〜４６：バルブ、６１：原水タンク、６２：水蒸気発生コイル、６３：水蒸気タンク、６４：誘導加熱装置、６５ａ：還元層下部用導入部、６５ｂ：還元層中間部用導入部、６５ｃ：還元層上部用導入部、６６：過熱水蒸気噴射ノズル。
【図１】
2015012302.tif 000003
【図２】
2015012302.tif 000004
【図３】
2015012302.tif 000005
【図４】
2015012302.tif 000006
【図５】
2015012302.tif 000007
【図６】
2015012302.tif 000008
【図７】
2015012302.tif 000009
【図８】
2015012302.tif 000010
【図９】
2015012302.tif 000011
【図１０】
2015012302.tif 000012
【国際調査報告】
2015012302.tif 000013
2015012302.tif 000014